(57)【要約】【課題】通信ネットワークを使って、患者の生体情報を遠隔で医師が閲覧し、患者に対して容易にアドバイスを伝え、患者にとっても医師にとっても効率があがり、効果のある健康管理支援システムを提供する。【解決手段】患者用端末装置２は生体情報入力手段１５により患者から生体情報を受け、通信ネットワーク４を介して医師用端末装置１に転送される。そして雛形メッセージ生成手段７により自動で雛形メッセージが作成され、その雛形メッセージを医師はメッセージ編集手段８によって編集することで、患者に対するメッセージを作成し、作成されたメッセージは通信ネットワークを介して患者用端末装置に転送され、患者用端末装置の表示手段に表示され、患者はそのメッセージを閲覧できる。したがって、医師は自動で生成される雛形メッセージを編集するだけの作業でメッセージを作成でき、医師の効率を上げることができる。【選択図】  図１
2004240916.tif 000002
【特許請求の範囲】
【請求項１】
生体情報を入力し健康管理のメッセージを表示する患者用端末装置と通信ネットワークを介して接続された医師用端末装置であって、前記生体情報に対応して健康管理の雛形メッセージを生成する雛形メッセージ生成手段と、前記患者用端末装置の使用者に対するメッセージを前記雛形メッセージを基に編集するメッセージ編集手段を有する医師用端末装置。
【請求項２】
雛形メッセージ生成手段は複数の雛形メッセージを保存する雛形メッセージ保存手段と、生体情報から前記雛形メッセージを抽出する複数の抽出ルールを有するルール保存手段と、生体情報から前記抽出ルールに適合する前記雛形メッセージを抽出することで雛形メッセージを生成する請求項１記載の医師用端末装置。
【請求項３】
雛形メッセージ生成手段は、抽出ルールおよび雛形メッセージを登録する登録手段を有する請求項２記載の医師用端末装置。
【請求項４】
通信ネットワークを介して接続された医師用端末装置と患者用端末装置を備えた健康管理支援システムであって、前記患者用端末装置は患者の生体情報を入力する生体情報入力手段と、前記医師用端末装置で編集されたメッセージを表示する表示手段とを有し、前記医師用端末装置は前記生体情報に対応して健康管理の雛形メッセージを生成する雛形メッセージ生成手段と、前記患者用端末装置の使用者に対するメッセージを前記雛形メッセージを基に編集するメッセージ編集手段を有する健康管理支援システム。
【請求項５】
通信ネットワークを介して医師用端末装置と患者用端末装置に接続されたデータベースサーバ装置を有し、前記データベースサーバ装置は患者用端末装置から生体情報を受信して格納する生体情報格納手段と、医師用端末装置からメッセージを受信して格納するメッセージ格納手段を有する請求項４記載の健康管理支援システム。
【請求項６】
データベースサーバ装置は、医師用端末装置で雛形メッセージ生成手段として動作するスクリプトを格納する雛形メッセージ生成ツール格納手段を有し、医師用端末装置は前記データベースサーバ装置より雛形メッセージ作成スクリプトを受信する請求項５記載の健康管理支援システム。
【請求項７】
データベースサーバ装置は、医師用端末装置でメッセージ編集手段として動作するスクリプトを格納するメッセージ編集ツール格納手段を有し、医師用端末装置は前記データベースサーバ装置よりメッセージ編集スクリプトを受信する請求項５または６いずれか１項に記載の健康管理支援システム。
【請求項８】
生体情報入力手段は生体情報測定器を有し、測定した生体情報を有線または無線の通信により患者用端末装置に入力する請求項４記載の健康管理支援システム。
【請求項９】
コンピュータを請求項１〜３のいずれか１項に記載の医師用端末装置として機能させるためのプログラム。
【発明の詳細な説明】
【０００１】
【発明の属する技術分野】
本発明は、生体情報を入力し健康管理のメッセージを表示する患者用端末装置と通信ネットワークを介して接続し、患者の生体情報を閲覧した医師が、患者に対してアドバイスメッセージを作成するための医師用端末装置および健康管理支援システムに関するものである。
【０００２】
【従来の技術】
従来より、医師は体温や血圧、血糖などの患者の生体情報を基に判断し、患者に対して投薬などの治療行為を行ったり、生活改善を促すなどしていた。近年、高血圧症、糖尿病、肥満などの生活習慣病患者の増加が問題となっていて、これら生活習慣病は、初期段階では多くの場合、日常の生活習慣を改善することで良化できる。
【０００３】
また、従来は医師が患者と直接対面することにより診療を行ってきたのに対し、通信技術の発達により離れた場所にいる患者を通信回線経由で診療するシステムが実用化されつつある。即ち、患者は在宅で自分の生体情報を測定し、その測定結果をパソコン等を用いて通信回線経由で医師に送信し、一方、医師は送信されてきた患者の生体情報を閲覧して、患者に対するアドバイスメッセージを作成し、電子メール等の手段で患者に送信し、患者は医師から送信されてきたアドバイスメッセージを閲覧することでその指示に従い、生活習慣を改善するというものである（例えば特許文献１参照）。
【０００４】
特に、高血圧症、糖尿病、肥満などの生活習慣病は、投薬などの治療行為よりも生活習慣を医師の指導の下、適切に改善することが重要な症例に対しては、上記のような通信回線を利用した遠隔での診療システムは効率が良く効果が大きい。
【０００５】
【特許文献１】
特開平９−１６０６４号公報
【０００６】
【発明が解決しようとする課題】
しかしながら、これらの従来技術のシステムにおいては、医師が一人一人の患者に対してそれぞれアドバイスメッセージを作成しなければならず、医師の負担が大きい。例えば特許文献１においては、医師は指示入力用ウィンドウにワープロソフト等を使用して入力している。
【０００７】
遠隔での診療システムは患者が病院等へ行かず在宅でも診療を受けることができ効率が上がるものの、医師にとっては、患者の生体情報を閲覧して患者に対しアドバイスメッセージをワープロソフト等で入力していたのでは、効率が上がることにならない。むしろ直接対面して口頭で患者にアドバイスすることより効率を下げることにもなる。その結果、生体情報が警戒レベルを超えたような危険なときにだけアドバイスを作成するようなこととなり、警戒レベルを超えない患者は全くアドバイスを受け取らないこともあり、日常的な生活指導は困難であった。
【０００８】
本発明の目的は、上記の問題点を解決し、通信ネットワークを使って、患者にとっても医師にとっても効率があがり、効果のある健康管理支援システムを提供することにある。
【０００９】
【課題を解決するための手段】
前記従来の課題を解決するために、医師用端末装置は生体情報に対応して健康管理の雛形メッセージを生成する雛形メッセージ生成手段と、患者用端末装置の使用者に対するメッセージを前記雛形メッセージを基に編集するメッセージ編集手段を有する構成としたものである。
【００１０】
これによって、医師は雛形メッセージ生成手段で生成される雛形メッセージを基にメッセージ編集手段で編集することで患者に対する健康管理のメッセージを作成することができ、患者にとっても医師にとっても効率が上がり効果のある健康管理支援システムを提供することができる。
【００１１】
【発明の実施の形態】
請求項１に記載の発明は、生体情報を入力し健康管理のメッセージを表示する患者用端末装置と通信ネットワークを介して接続された医師用端末装置であって、前記生体情報に対応して健康管理の雛形メッセージを生成する雛形メッセージ生成手段と、前記患者用端末装置の使用者に対するメッセージを前記雛形メッセージを基に編集するメッセージ編集手段を有する構成としたものである。
【００１２】
これによって、患者用端末装置に入力された患者の生体情報は通信ネットワークを介して医師用端末装置に転送される。そして医師用端末装置の雛形メッセージ生成手段により生体情報に対応した健康管理の雛形メッセージが作成され、その雛形メッセージを医師はメッセージ編集手段によって編集することで、患者に対するメッセージを作成する。そして作成されたメッセージは通信ネットワークを介して患者用端末装置に転送されて表示され、患者はそのメッセージを閲覧できる。したがって、医師は雛形メッセージを編集するだけの作業でメッセージを作成でき、医師の効率を上げることができる。
【００１３】
請求項２に記載の発明は、特に請求項１に記載の雛形メッセージ生成手段は複数の雛形メッセージを保存する雛形メッセージ保存手段と、生体情報から前記雛形メッセージを抽出する複数の抽出ルールを有するルール保存手段と、生体情報から前記抽出ルールに適合する前記雛形メッセージを抽出することで雛形メッセージを生成する構成としたものである。
【００１４】
これによって、雛形メッセージ生成手段は雛形メッセージ保存手段に保存された複数の雛形メッセージから、ルール保存手段に保存された抽出ルールに適合した雛形メッセージを抽出するので、患者の生体情報に適合した雛形メッセージを自動的に生成することができる。
【００１５】
請求項３に記載の発明は、特に請求項２に記載の雛形メッセージ生成手段は、抽出ルールおよび雛形メッセージを登録する登録手段を有する構成としたものである。
【００１６】
これによって、医師は登録手段により新規の抽出ルールおよび雛形メッセージを登録することができ、医師の独自性を生かした雛形メッセージの生成が可能となる。
【００１７】
請求項４に記載の発明は、通信ネットワークを介して接続された医師用端末装置と患者用端末装置を備えた健康管理支援システムであって、前記患者用端末装置は患者の生体情報を入力する生体情報入力手段と、前記医師用端末装置で編集されたメッセージを表示する表示手段とを有し、前記医師用端末装置は前記生体情報に対応して健康管理の雛形メッセージを生成する雛形メッセージ生成手段と、前記患者用端末装置の使用者に対するメッセージを前記雛形メッセージを基に編集するメッセージ編集手段を有する構成としたものである。
【００１８】
これによって、生体情報入力手段により患者用端末装置に入力された患者の生体情報は通信ネットワークを介して医師用端末装置に転送される。そして医師用端末装置の雛形メッセージ生成手段により生体情報に対応した雛形メッセージが作成され、その雛形メッセージを医師はメッセージ編集手段によって編集することで、患者に対するメッセージを作成する。そして作成されたメッセージは通信ネットワークを介して患者用端末装置に転送され、患者用端末装置の表示手段に表示され、患者はそのメッセージを閲覧できる。したがって、医師は雛形メッセージを編集するだけの作業でメッセージを作成でき、医師の効率を上げることができる。
【００１９】
請求項５に記載の発明は、特に請求項４に記載の健康管理支援システムにおいて、通信ネットワークを介して医師用端末装置と患者用端末装置に接続されたデータベースサーバ装置を有し、前記データベースサーバ装置は患者用端末装置から生体情報を受信して格納する生体情報格納手段と、医師用端末装置からメッセージを受信して格納するメッセージ格納手段を有する構成としたものである。
【００２０】
これによって患者用端末装置で入力された生体情報はデータベースサーバ装置の生体情報格納手段に格納され、医師用端末装置で作成されたメッセージはデータベースサーバ装置のメッセージ格納手段に格納され、医師用端末装置はデータベースサーバ装置から患者の生体情報を受信して表示、患者用端末装置はデータベースサーバ装置からメッセージを受信して表示するので、複数の患者用端末装置、複数の医師用端末装置を一つのシステム内に配設できて、一人の患者に対し複数の医師が複数の医師用端末装置からメッセージを作成することができて、医師の効率を更に上げることができる。
【００２１】
請求項６に記載の発明は、特に請求項５に記載のデータベースサーバ装置において、医師用端末装置で雛形メッセージ生成手段として動作するスクリプトを格納する雛形メッセージ生成ツール格納手段を有し、医師用端末装置は前記データベースサーバ装置より雛形メッセージ作成スクリプトを受信する構成としたものである。
【００２２】
これによって、医師用端末装置はデータベースサーバ装置から雛形メッセージ生成ツール格納手段に格納されている雛形メッセージ生成スクリプトを受信し、受信した雛形メッセージ生成スクリプトを実行することで雛形メッセージ生成手段として機能するので、医師用端末装置は予め雛形メッセージ生成手段を備えた専用装置でなく、パーソナルコンピュータのような汎用的な装置を医師用端末装置として使うことができ、汎用性を高めることができる。
【００２３】
請求項７に記載の発明は、特に請求項５または６いずれか１項に記載のデータベースサーバ装置において、医師用端末装置でメッセージ編集手段として動作するスクリプトを格納するメッセージ編集ツール格納手段を有し、医師用端末装置は前記データベースサーバ装置よりメッセージ編集スクリプトを受信する構成としたものである。
【００２４】
これによって、医師用端末装置はデータベースサーバ装置からメッセージ編集ツール格納手段に格納されているメッセージ編集スクリプトを受信し、受信したメッセージ編集スクリプトを実行することでメッセージ編集手段として機能するので、医師用端末装置は予めメッセージ編集手段を備えた専用装置でなく、パーソナルコンピュータのような汎用的な装置を医師用端末装置として使うことができ、汎用性を高めることができる。
【００２５】
請求項８に記載の発明は、特に請求項４に記載の生体情報入力手段において生体情報測定器を有し、測定した生体情報を有線または無線の通信により患者用端末装置に入力する構成としたものである。
【００２６】
これによって、生体情報測定器で測定した生体情報は有線または無線の通信により自動的に患者用端末装置に入力されるので、患者の手間が省け使い勝手が向上するとともに、誤った入力がなくなり、入力された生体情報の信頼性が高まり、医師は正しい生活指導をできる効果がある。
【００２７】
請求項９に記載の発明は、コンピュータを請求項１〜３のいずれか１項に記載の医師用端末装置として機能させるためのプログラムである。そして例えば医師の所有するコンピュータを使って医師用端末装置を容易に実現でき、記録媒体やインターネット配信によってそのプログラムを変更することもできる。
【００２８】
【実施例】
（実施例１）
以下本発明の実施例について、図面を参照しながら説明する。図１は本発明の実施例を説明する健康管理支援システムの構成を示すブロック図である。図１において医師用端末装置１と、患者用端末装置２と、データベースサーバ装置３とが、例えばＬＡＮ、公衆電話網、インターネットなどの通信ネットワーク４を介して接続されている。ここで医師用端末装置１、患者用端末装置は同様に構成された複数の装置が接続されているが、便宜上各１台が接続された構成で説明する。
【００２９】
医師用端末装置１は例えば通信機能を有するパーソナルコンピュータにてなり、患者の生体情報の表示、患者に対するメッセージの作成を含む処理を実行する。また患者用端末装置２は例えば通信機能を有するパーソナルコンピュータにてなり、患者の生体情報の入力、医師から送られるメッセージの表示などの処理を実行する。さらにデータベースサーバ装置３は例えば通信機能を有するコンピュータにてなり、医師用端末装置１、患者用端末装置２との間で、患者の生体情報、医師から患者に送られるメッセージなどを送受信し格納する。またデータベースサーバ装置３は、医師用端末装置２にて雛形メッセージ生成手段として実行される雛形メッセージ生成のためのスクリプトプログラムやメッセージ編集手段として実行されるメッセージ編集のためのスクリプトプログラムを格納している。
【００３０】
そして医師用端末装置１は、キーボードやマウスなどからなる入力手段５、液晶ディスプレイなどの表示手段６、患者に対するメッセージの雛形を自動で生成する雛形メッセージ生成手段７、自動で生成された雛形メッセージを編集するためのメッセージ編集手段８、通信ネットワーク４を介してデータベースサーバ装置３とデータを送受信するための通信手段９、送受信データや入力データを格納するメモリ１０と、それらを制御する制御手段１１を含む構成としている。
【００３１】
更に、雛形メッセージ生成手段７は、複数の雛形メッセージを保存する雛形メッセージ保存手段１２、保存されている複数の雛形メッセージの中から患者の生体情報に適合する雛形メッセージを抽出するための抽出ルールを保存するルール保存手段１３、そして新規の雛形メッセージや抽出ルールを登録するための登録手段１４を含む構成としている。
【００３２】
患者用端末装置２は、血圧や体重、血糖値などの生体情報を入力するための生体情報入力手段１５、液晶ディスプレイなどの表示手段１６、通信ネットワーク４を介してデータベースサーバ装置３とデータを送受信するための通信手段１７と、送受信データや入力データを格納するメモリ１８と、それらを制御する制御手段１９を含み、生体情報入力手段１５はマウスやキーボードの他に、血圧計、体温計、血糖計などの生体情報測定器２０を含み、生体情報測定器２０からは光信号などの無線通信または、電圧信号などの有線通信で測定値を自動的に入力できる。
【００３３】
データベースサーバ装置３は、医師用端末装置１や患者用端末装置２から送信されてきたデータを受信して格納し、また医師用端末装置１や患者用端末装置２にデータを送信する。そして、患者用端末装置２から送信されてくる生体情報を格納するための生体情報格納手段２１、医師用端末装置１から送信されてくるメッセージを格納するためのメッセージ格納手段２２、医師用端末装置１に送信するための雛形メッセージ生成手段７を格納する雛形メッセージ生成ツール格納手段２３、医師用端末装置１に送信するためのメッセージ編集手段８を格納するメッセージ編集ツール格納手段２４、通信ネットワーク４を介して医師用端末装置１や患者用端末装置２とデータを送受信するための通信手段２５と、それらを制御する制御手段２６を含む。
【００３４】
ここで雛形メッセージ生成ツール格納手段２３に格納されている雛形メッセージ生成手段７は、医師用端末装置１に送信して、医師用端末装置１で実行されるスクリプトなどであり、前記した医師用端末装置１の雛形メッセージ生成手段７と同様のものである。また、メッセージ編集ツール格納手段２４に格納されているメッセージ編集手段８は、医師用端末装置１に送信して、医師用端末装置１で実行されるスクリプトなどであり、前記した医師用端末装置１のメッセージ編集手段８と同様のものである。図１では、データベースサーバ装置３から雛形メッセージ生成手段７、メッセージ編集手段８を医師用端末装置１に送信した後、医師用端末装置１にも雛形メッセージ生成手段７、メッセージ編集手段８が存するものとして構成を説明している。
【００３５】
図２により雛形メッセージ生成手段７の内部構成を説明する。既に登録済みの複数の雛形メッセージを保存している雛形メッセージ保存手段１２、各雛形メッセージを抽出するための複数の抽出ルールを保存したルール保存手段１３、抽出ルールにより抽出された雛形メッセージを格納する雛形メッセージ格納手段２７と、新規の雛形メッセージや抽出ルールを登録するための登録手段１４を含む構成である。
【００３６】
この構成において、雛形メッセージ保存手段１２には複数の雛形メッセージの題名と内容がセットで登録されている。雛形メッセージとは例えば「Ｎｏ．１、題名：血圧高く要注意、内容：食事の内容に十分注意して下さい。塩分控えめの食事を心がけて下さい。」というようなものである。またルール保存手段１３には前記各雛形メッセージを抽出する抽出ルールが保存されている。抽出ルールとは例えば「最高血圧が３日連続１５０以上であればＮｏ．１の雛形メッセージを抽出する」というもので、医師用端末装置１の制御手段１１が実行可能な言語で記されている。この構成によりルール保存手段１３に保存された抽出ルールに従い、該当する雛形メッセージを雛形メッセージ保存手段１２から抽出することで、雛形メッセージを生成する。
【００３７】
そして、医師用端末装置１はデータベースサーバ装置３から通信ネットワーク４、通信手段９を介して生体情報を取得して一旦メモリ１０に記憶し、そのメモリ１０の生体情報をルール保存手段１３の抽出ルールに照らし合わせ、条件に合えば雛形メッセージ保存手段１２から適合する雛形メッセージを抽出して、雛形メッセージ格納手段２７に格納する。また、登録手段１４により新規に登録された雛形メッセージは雛形メッセージ保存手段１２に登録し、新規に登録された抽出ルールはルール保存手段１３に登録する。
【００３８】
図３は、医師用端末装置１の制御手段１１によって実行される医師用端末処理を示すフローチャートである。この医師用端末処理において、入力とは医師によりキーボードやマウスよりなる入力手段５を用いたデータ又は数値の入力である。また表示とは液晶ディスプレイなどの表示手段６に表示することである。
【００３９】
図３のステップＳ１において、まず医師コードおよびパスワードを入力し、ステップＳ２において認証はＯＫであるか否かが判断され、すなわち入力された医師コードおよびパスワードのデータが、予め入力されて登録された認証データと一致するか否かが判断され、ＮＯのときはステップＳ１に戻る一方、ＹＥＳのときはステップＳ３に進む。ステップＳ３以下においては以下の選択肢を有する図９のメニュー画面を表示し、操作者である医師はこれらの選択肢から１つを選択することにより処理を選択する。
【００４０】
（ａ）生体情報の閲覧
（ｂ）メッセージ作成
（ｃ）雛形メッセージ登録
（ｄ）処理終了
まず、ステップＳ３において生体情報閲覧が選択されたか否かが判断され、ＹＥＳのときはステップＳ４に進み、生体情報閲覧処理を実行した後ステップＳ５に進む一方、ステップＳ３でＮＯのときはそのままステップＳ５に進む。次いでステップＳ５においてメッセージ作成が選択されたか否かが判断され、ＹＥＳのときはステップＳ６に進み、メッセージ作成処理を実行した後ステップＳ７に進む一方、ステップＳ５でＮＯのときはそのままステップＳ７に進む。次いでステップＳ７において雛形メッセージ登録が選択されたか否かが判断され、ＹＥＳのときはステップＳ８に進み、雛形メッセージ登録処理を実行した後ステップＳ９に進む一方、ステップＳ７でＮＯのときはそのままステップＳ９に進む。さらにステップＳ９において終了処理が選択されたか否かが判断され、ＮＯのときはステップＳ３に戻る一方、ＹＥＳのときは当該医師用端末処理を終了する。
【００４１】
図４は、図３のサブルーチンである患者の生体情報閲覧処理（ステップＳ４）を示すフローチャートであり、医師用端末装置１とデータベースサーバ装置３とのデータの送受信を含めて説明する。
【００４２】
図４において、医師用端末装置１は、ステップＳ１１でまず例えば図１０に示すような画面を表示する。ここではまだ患者が選択されていないので、患者選択のために図１０に示す上部だけが表示される。そして、ステップＳ１２で医師は患者を選択する。ステップＳ１３において、医師用端末装置１はデータベースサーバ装置３に選択された患者に関連付けられている患者コードを送信する。一方、データベースサーバ装置３はステップＳ１４で患者コードを受信し、ステップＳ１５で受信した患者コードの患者の生体情報を生体情報格納手段２１より抽出し、ステップＳ１６で抽出した生体情報を医師用端末装置１に送信する。
【００４３】
医師用端末装置１はステップＳ１７で生体情報を受信しメモリ１０に一時的に格納し、ステップＳ１８で画面に表示する。表示は例えば図１０の画面下部のような日付と生体情報の表として表示する。そしてステップＳ１９において、処理終了が選択されると処理を終了する一方、選択されなければステップＳ１１に戻って処理を繰り返す。
【００４４】
図５は、図３のサブルーチンであるメッセージ作成処理（ステップＳ６）を示すフローチャートであり、医師用端末装置１とデータベースサーバ装置３とのデータの送受信を含めて説明する。
【００４５】
図５において、医師用端末装置１は、ステップＳ２１で医師に割り当てられた医師コードを送信する。一方、データベースサーバ装置３はステップＳ２２で医師コードを受信すると、ステップＳ２３で該当する医師が担当する全患者の生体情報を生体情報格納手段１５から抽出し、ステップＳ２４で抽出した生体情報を医師用端末装置１に送信する。そして医師用端末装置１はステップＳ２５で送信されてきた生体情報を受信し、一旦メモリ１０に蓄積する。
【００４６】
次に医師用端末装置１はステップＳ２６で受信した生体情報を基に雛形メッセージを生成する。雛形メッセージの生成については後述する。次に医師用端末装置１はステップＳ２７で例えば図１１の自動生成メッセージリストに示すような雛形メッセージ一覧を表示し、ステップＳ２８で例えば図１１に示すようなメッセージ編集画面を表示する。そして、ステップＳ２９で医師により雛形メッセージが選択されたかを判断し、ＹＥＳのときはステップＳ３０に進む一方、ＮＯのときはステップＳ３１に進む。ステップＳ３０では選択された雛形メッセージを編集画面に表示しステップＳ３２にジャンプする。ステップＳ３１では医師は患者名を選択し、ステップＳ３２に進む。
【００４７】
次に医師はステップＳ３２でメッセージを編集する。ここで雛形メッセージを選択してステップＳ３２に至った場合は、メッセージのタイトルや内容が既に表示されていて、それを基に追加や修正などの編集を行う。また患者名選択からステップＳ３２に至った場合はタイトルや内容が空白であり、その空白状態から編集即ち作成を行う。
【００４８】
次に医師用端末装置１はステップＳ３３で送信ボタンを押されたかどうかを判断し、ＹＥＳであればステップＳ３４に進む一方、ＮＯであればステップＳ３７にジャンプする。ステップＳ３４では患者コードと編集されたメッセージをデータベースサーバ装置３に送信する。一方、データベースサーバ装置３はステップＳ３５で患者コードとメッセージを受信し、ステップＳ３６で受信したメッセージをメッセージ格納手段２２に格納する。また医師用端末装置１はステップＳ３７で処理終了が選択されたかどうかを判断し、ＹＥＳであれば、処理を終了する一方、ＮＯであればステップＳ２９に戻って処理を繰り返す。
【００４９】
図６は、図５のサブルーチンである雛形メッセージ生成処理（ステップＳ２６）を示すフローチャートである。
【００５０】
図６において、医師用端末装置１は、ステップＳ４１においてまず受信した生体情報の数を変数Ｎに代入する。またステップＳ４２において登録されているルールの数を変数Ｍに代入する。次にステップＳ４３にてカウンタＩを１から生体情報の数であるＮまでカウントし、ステップＳ４４にてカウンタＪを１から抽出ルールの数であるＭまでカウントする。そしてステップＳ４５でＩ番目の生体情報がＪ番目の抽出ルールに該当するかどうかを判断する。判断は医師用端末装置１の制御手段１１により、比較や数値演算、論理演算の組み合わせなどにより行う。そしてＹＥＳの場合はステップＳ４６に進む一方、ＮＯの場合はステップＳ４４に戻りカウンタＪを＋１する。ステップＳ４６では抽出ルールに関連付けられた雛形メッセージを雛形メッセージ保存手段１２から抽出し、雛形メッセージ格納手段２７に格納して、ステップＳ４４に戻りカウンタＪを＋１する。これをＭ回繰り返すと、更にステップＳ４３に戻りカウンタＩを＋１して、ステップＳ４４からＳ４６を実行する。これをＮ回繰り返すことで、全ての生体情報が全ての抽出ルールについて該当するかどうかをチェックする。
【００５１】
図７は、図４のサブルーチンである雛形メッセージ登録処理（ステップＳ８）を示すフローチャートであり、医師用端末装置１とデータベースサーバ装置３とのデータの送受信を含めて説明する。
【００５２】
図７において、医師用端末装置１はステップＳ５１で例えば図１２に示すような雛形メッセージ登録画面を表示する。医師は医師用端末装置１を使い、ステップＳ５２で抽出ルールを入力し、ステップＳ５３でその抽出ルールに対応した雛形メッセージのタイトルおよび内容を入力する。
【００５３】
医師用端末装置１は、ステップＳ５４で医師により登録ボタンが押されたか否かを判断し、ＹＥＳのときはステップＳ５５に進む一方、ＮＯのときはステップＳ５９にジャンプする。ステップＳ５５では抽出ルールの入力に綴り間違いなど医師用端末装置１の制御手段１１で解読できないような書式エラーがないかをチェックして誤りがなければステップＳ５６に進む一方、誤りがある場合にはステップＳ５８に進む。
【００５４】
医師により登録ボタンが押され、また抽出ルールの入力書式に誤りがなければステップＳ５６で入力された抽出ルールをルール保存手段１３に登録し、ステップＳ５７で入力された雛形メッセージを雛形メッセージ保存手段１２に登録してステップＳ５９に進む。一方、登録ボタンが押されたものの抽出ルールの入力書式に誤りがあるときはステップＳ５８で例えば「入力書式に誤りがあります」などのエラーメッセージを表示してステップＳ５９に進む。
【００５５】
そして、ステップＳ５９で処理終了が選択されたかどうかを判断し、ＹＥＳであれば処理を終了する一方、ＮＯであればステップＳ５２に戻って処理を繰り返す。
【００５６】
図８は患者用端末装置２によって実行される患者用端末処理を示すフローチャートであり、データベースサーバ装置３との送受信を含めて示している。この患者用端末処理において、表示とは液晶ディスプレイなどの表示手段１６に出力して表示することをいう。
【００５７】
図８のステップＳ６１において、患者はまず患者用端末装置２で患者コードとパスワードを入力し、患者用端末装置２はステップＳ６２において入力された患者コードとパスワードが予め登録されている認証データと一致しているかどうか、即ち認証はＯＫかどうかが判断され、ＹＥＳのときはステップＳ６３に進む一方、ＮＯのときはステップＳ６１に戻る。ステップＳ６３において、データベースサーバ装置３にメッセージの要求信号を送信する。一方、データベースサーバ装置３はステップＳ６４でメッセージ要求信号を受信すると、ステップＳ６５においてメッセージ格納手段２２に格納されているメッセージのうち該当患者に対するメッセージを患者用端末装置２に送信する。患者用端末装置２はステップＳ６６でデータベースサーバ装置３からメッセージを受信し、ステップＳ６７で例えば図１３に示すような患者端末処理用画面を表示する。
【００５８】
更に、患者用端末装置２はステップＳ６８にて生体情報入力を選択されたかどうかが判断され、ＹＥＳのときはステップＳ６９で患者は生体情報の入力を行う。生体情報の入力は図示しない別画面で行うものであり、通信可能な生体情報測定器であれば測定結果を患者用端末装置２が受信し、そうでなければマウスやキーボードなどの入力手段を使って入力する。そしてステップＳ７０でデータベースサーバ装置３に測定した生体情報を送信する。一方、データベースサーバ装置３はステップＳ７１で生体情報を受信し、ステップＳ７２で受信した生体情報を生体情報格納手段２１に格納する。患者用端末装置２はステップＳ７３で処理終了が選択されたかどうかを判断し、ＹＥＳのときは処理を終了し、ＮＯであればステップＳ６８にジャンプして処理を繰り返す。
【００５９】
次に医師用端末装置１の画面例について説明する。図９は医師用端末装置１のメニュー画面の例である。医師用端末装置１には「生体情報の閲覧」、「メッセージ作成」、「雛形メッセージの登録」、「処理終了」の各メニューがあり、その項目が表示されていて、それぞれの項目に対応したボタン２８、２９、３０、３１が表示されている。このいずれかのボタンをマウス等の入力手段５でクリックすることにより選択された処理に移行するものである。
【００６０】
図１０は医師用端末装置１の患者の生体情報の閲覧の画面例である。図１０において、３２は患者名選択欄で、登録されている担当のすべての患者が表示されている。医師はその中から生体情報を閲覧すべき患者を選択する。３３は患者名選択ボタンであり、医師は患者名選択欄３２で患者名を選択し、患者名選択ボタン３３をマウスなどの入力手段５でクリックすることで選択した患者名が確定する。３４は生体情報表示欄であり、患者名選択欄３２で医師により選択された患者の生体情報が、登録された日付とともに一覧表示される。３５は処理終了ボタンであり、このボタンをクリックすることで生体情報閲覧の処理を終了する。
【００６１】
図１１は医師用端末装置１のメッセージ作成画面の例である。３６は患者名選択欄で登録されている担当のすべての患者が表示されている。また３７は自動生成メッセージリスト欄であり対象となる担当の全ての患者について雛形メッセージ生成手段７で抽出された雛形メッセージの一覧が表示されている。そして３８は送信先欄で送信先である患者名が表示される。３９はタイトル欄、４０はメッセージ欄でそれぞれメッセージのタイトル、内容が表示され、また編集することができる。
【００６２】
医師は自動生成メッセージリスト欄３７から一つを選択すると、そのメッセージの患者名が送信先欄３８に、タイトルがタイトル欄３９に、内容がメッセージ欄４０に表示され、それを基に編集する。例えばメッセージの内容に当該患者特有の内容である「前回お会いしたときには．．．」や「もうすぐ誕生日ですね」などを付け加えたりすることで、単に機械的に作られたメッセージでなく人間味があり、読む患者にとっては親近感があり説得力を増すことができる。
【００６３】
一方、自動生成メッセージリストを使わない場合は、患者名選択欄３６で患者名を選択すると送信先欄３８に患者名が表示され、タイトル欄３９、メッセージ欄４０は空白になっているので、一から作成することも可能である。４１は送信ボタンであり、マウス等の入力手段５でクリックすることにより、送信先欄３８で表示されている患者に、タイトル欄３９に表示されたタイトル、メッセージ欄４０に表示されたメッセージが、データベースサーバ装置３に送信される。４２は処理終了ボタンであり、このボタンをクリックすることでメッセージ作成の処理を終了する。
【００６４】
図１２は医師用端末装置１の雛形メッセージ登録画面の例である。図１２において、４３は抽出ルール入力欄であり、検索項目選択欄４４、条件式入力欄４５を備えている。
【００６５】
検索項目選択欄４４は、予め検索項目として例えば生体情報の項目である「血圧」、「血糖」、「体重」など、また生体情報の集計方方法として「期間平均」、「期間最高値」、「期間最低値」など、また複数の条件の組み合わせを定義するための「論理式」などを備えていて、医師はいずれかを選択する。
【００６６】
条件式入力欄４５は記号や数字を入力する。その入力書式は予め決まったものであり、例えば図１２に示す例であれば、Ｎｏ．０はＮｏ．１の条件とＮｏ．２の条件がともに成立する（ＡＮＤ）ことを意味している。またＮｏ．１の条件は血圧が１５０より高いことを意味している。またＮｏ．２の条件は過去３日間の平均値を意味している。即ち、過去３日間の血圧の平均値が１５０を越えているという抽出ルールを入力したことになる。
【００６７】
更に４６はタイトル入力欄、４７はメッセージ入力欄である。医師は抽出ルール入力欄４３に入力したルールにより抽出される雛形メッセージのタイトルと内容をタイトル入力欄４６、メッセージ入力欄４７にそれぞれキーボードやマウスなどの入力手段５を使って入力する。
【００６８】
４８は登録ボタンであり、クリックすることで抽出ルール入力欄４３で入力された抽出ルールと、雛形メッセージのタイトル入力欄４６で入力されたタイトル、メッセージ入力欄４７で入力されたメッセージが登録される。４９は処理終了ボタンであり、このボタンをクリックすることで雛形メッセージ登録の処理を終了する。
【００６９】
図１３は患者用端末装置２の画面の例である。５０は生体情報選択ボタン群であり、測定項目である血圧、体重、血糖、体温、脈拍などに対応したボタンを備えている。患者はこれらのボタンのいずれかを選択することで、各測定項目に対応した図示しない別画面が起動し、患者は生体情報入力手段１５により生体情報を入力する。生体情報入力手段１５は生体情報測定器２０で測定したデータが通信で自動的に入力するか、または、キーボードやマウス、タッチパネルなどを使って入力する。また５１はメッセージ表示欄であり、医師により作成されデータベースサーバ装置３のメッセージ格納手段２２に格納されている当該患者宛のメッセージを受信して、その全てを時系列に表示している。図に示すように、表示はタイトルと内容の他、送信者である医師の名前と、送信された日付を含めて表示するものである。５２は処理終了ボタンであり、患者用端末処理を終了する。
【００７０】
【発明の効果】
以上のように、本発明によれば、医師用端末装置の使用者が患者に対してアドバイスメッセージを容易に作成して、患者に伝えることができるので、患者が病院等へ行って直接医師と対面しなくても遠隔で健康管理ができ効率が上がるだけでなく、医師用端末装置の使用者も簡単にアドバイスを作成して伝えることができて、両者にとって効率が上がり、効果のある健康管理支援システムを提供することができる。また雛形メッセージ生成手段により生成されたメッセージに対してメッセージ編集手段により編集を加えるので、生成されたメッセージの妥当性を確認することができる上に、当該患者特有の内容に追加、修正することもでき、患者にとっては親近感を持つことができて、メッセージの説得力も高まり生活改善の効果は増す。更に、雛形メッセージ生成手段により生成されるメッセージの生成ルールも医師用端末装置の使用者自身で作ることができ、独自性も発揮でき、意欲を高める効果もある。
【図面の簡単な説明】
【図１】本発明の実施例における健康管理支援システムの構成を示すブロック図
【図２】同実施例における雛形メッセージ生成手段の内部構成図
【図３】同実施例における医師用端末装置で実行される医師用端末処理を示すフローチャート
【図４】同実施例における医師用端末装置で実行される医師用端末処理のサブルーチンである生体情報閲覧処理を示すフローチャート
【図５】同実施例における医師用端末装置で実行される医師用端末処理のサブルーチンであるメッセージ作成処理を示すフローチャート
【図６】同実施例における医師用端末装置で実行されるメッセージ作成処理のサブルーチンである雛形メッセージ生成処理を示すフローチャート
【図７】同実施例における医師用端末装置で実行される医師用端末処理のサブルーチンである雛形メッセージ登録処理を示すフローチャート
【図８】同実施例における患者用端末装置で実行される患者用端末処理を示すフローチャート
【図９】同実施例における医師用端末装置の画面例であってメニュー画面を示す図
【図１０】同実施例における医師用端末装置の画面例であって生体情報閲覧画面を示す図
【図１１】同実施例における医師用端末装置の画面例であってメッセージ作成画面を示す図
【図１２】同実施例における医師用端末装置の画面例であって雛形メッセージ登録画面を示す図
【図１３】同実施例における患者用端末装置の画面例を示す図
【符号の説明】
１  医師用端末装置
２  患者用端末装置
３  データベースサーバ装置
４  通信ネットワーク
７  雛形メッセージ生成手段
８  メッセージ編集手段
１２  雛形メッセージ保存手段
１３  ルール保存手段
１４  登録手段
１５  生体情報入力手段
１６  （患者用端末装置の）表示手段
２０  生体情報測定器
２１  生体情報格納手段
２２  メッセージ格納手段
２３  雛形メッセージ生成ツール格納手段
２４  メッセージ編集ツール格納手段
【図１】
2004240916.tif 000003
【図２】
2004240916.tif 000004
【図３】
2004240916.tif 000005
【図４】
2004240916.tif 000006
【図５】
2004240916.tif 000007
【図６】
2004240916.tif 000008
【図７】
2004240916.tif 000009
【図８】
2004240916.tif 000010
【図９】
2004240916.tif 000011
【図１０】
2004240916.tif 000012
【図１１】
2004240916.tif 000013
【図１２】
2004240916.tif 000014
【図１３】
2004240916.tif 000015